【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
特に患者の体温を非挿入方法で計測する方法であって、前記方法は、体温を計られる被験者の表面から離れている検出部へ赤外線を運ぶように設計された温度計で行われ；
室温を計測する工程と、
患者の検温部（９）からくる前記赤外線の強度を赤外線体温計で検知して、前記検温部の温度を決定する工程と、
前記検温部で検知された前記温度を前記室温に応じて修正し、患者の真の内部体温を決定する工程とを有し、
前記検温部の温度を補正するために使用される前記室温の安定性、正確性を制御する工程をさらに有し、
赤外線を検知する前記工程はプローブを耳に挿入することを含まないことを特徴とする方法。
【請求項２】
前記体温計にて接触せずに指標する指標工程を有し、前記指標工程は、好ましくは額部分もしくは頭部の温度を探知し、さらに好ましくはこめかみもしくは額の中心部分および/または首の後ろおよび/または耳付近の温度を探知する工程であり、
体温を測ろうとする前記被験者の額部分の温度を予測する工程をさらに有することを特徴とする請求項１に記載の方法。
【請求項３】
前記制御工程は、計測が行われる環境もしくは計測が行われる環境と同じ室温を有する環境に静的に置かれたリモートセンサー（３１）から室温を得る工程を有することを特徴とする請求項１に記載の方法。
【請求項４】
前記室温を得る工程は、無線、赤外線、接触、ジャックプラグ、ケーブル、電磁誘導、電磁波、高周波、超短波、トランスポンダもしくはそれに類似する遠隔交信手段で行われることを特徴とする請求項３に記載の方法。
【請求項５】
前記室温を得る工程は自動および/または使用者の命令で行われ、前記室温を得る工程は、他の温度計で探知された室温データを書き込むことで行われることを特徴とする請求項３に記載の方法。
【請求項６】
前記得られた室温数値は、メモリー（３８）に保存され、前記検温部の温度を補正するための修正パラメータの処理に使用されて患者の真の内部体温を決定することを特徴とする請求項１に記載の方法。
【請求項７】
前記制御工程は、室温における基準素子（３６）からの赤外線の強度を検知して室温を計測することを特徴とする請求項１に記載の方法。
【請求項８】
前記制御工程は、室温を少なくとも二つの室温センサー（３９，４０）で計測する工程を有し、保存された室温が前記センサー（３９，４０）で検知された二つの室温の関数であることを特徴とする請求項１に記載の方法。
【請求項９】
保存された前記室温は検知された室温より低いことを特徴とする請求項８に記載の方法。
【請求項１０】
真の室温の予測は、前記センサー（３９，４０）から供給された前記温度の差を参照した修正から得られることを特徴とする請求項８に記載の方法。  
【請求項１１】
前記制御工程は、検知された室温が数値と時間において一定であることを確認するサブ工程を有し、前記検温部で検知された前記温度を是正するのに使用された前記室温は、保存された一定温度の最後の数値であることを特徴とする請求項１に記載の方法。
【請求項１２】
前記室温は、所定修正閾値を超えなければ、例えば０．２°の変化範囲内であれば数値において一定とみなす請求項１１に記載の方法。
【請求項１３】
前記室温は、所定修正閾値内に一定の時間、例えば少なくとも１分から５分間変化しなければ時間においても一定とみなす請求項１２に記載の方法。
【請求項１４】
前記制御工程が、ディスプレーから室温を読み取り、赤外線体温計にキーパッドもしくは音声指示で書き込むことを通じて室温を直接得る工程を有する請求項１に記載の方法。
【請求項１５】
室温を予測する工程を含み、好ましくは前記予測工程は、連続して行われる所定の時間間隔において前記センサー（３９，４０）で検知された温度数値の補間法および／または補外法により行われ、さらに好ましくは前記予測工程が、両前記室温センサー（３９，４０）が同じ温度上昇率または下降率の記録を照合する条件で行われることを特徴とする請求項１に記載の方法。
【請求項１６】
前記予測工程は、時間において一定な前記センサー（３９, ４０）の温度の正または負の変化を決定するサブ工程を有することを特徴とする請求項１５に記載の方法。
【請求項１７】
前記予測工程は、その予測工程で補間計算もしくは補外計算される室温の関数として修正パラメータを特定するサブ工程を有し、好ましくは、前記修正パラメータを検知された室温に適用する工程を有することを特徴とする請求項１５に記載の方法。
【請求項１８】
前記予測工程は、体温計の安定までにかかる時間をカウントするサブ工程を有し、前記カウント工程は好ましくは前記安定までにかかる時間を表示するサブ工程を有することを特徴とする請求項１５に記載の方法。
【請求項１９】
少なくとも一つの付加的修正パラメータを決定するサブ工程をさらに有し、少なくとも一つの前記付加的修正パラメータは、患者の額部分と同患者の耳の表面温度差と関連し、好ましくは、計測された温度に前記付加的修正パラメータを適用するサブ工程を有することを特徴とする請求項１５に記載の方法。
【請求項２０】
温度計測用非挿入型温度計であって、前記温度計は、体温を計測する被験者から離れた検出部に赤外線を運ぶように設計されており、前記被験者は特に患者で、請求項１に記載の方法を実行する前記温度計は、
使用者用に少なくとも一つ掌握部（３）を形作るように設計された本体部（２）と、
温度を測るべき身体から放出された赤外線を検知する手段（６）で本体部（２）と機能的に関連し、さらに、赤外線強度の検出部（７）を少なくとも一つ有し、
周囲の環境の温度を検知する第一室温センサー（３９）と、
前記検出部（７）と前記第一室温部（３９）とが機能的に関連し、前記検出部自体から受信した赤外線に対応する体温シグナル（Ａ）と室温シグナル（Ｂ）をそれぞれ受信することが可能な処理部（３３）とを有する赤外線体温計であって、
前記処理部（３３）が室温シグナル（Ｂ）の時間経過を保存して、前記処理部（３３）は所定時間間隔において実質的に一定であった最後の温度を室温の基準として保有しておくことを特徴とする温度計測用非挿入型温度計。
【請求項２１】
前記室温は、その最大の温度変化範囲が所定閾値より低く、例えば１度の２／１０以下であることを特徴とする請求項２０に記載の温度計。
【請求項２２】
室温が一定でなければならない前記時間間隔は１５秒以上で、好ましくは１分以上であることを特徴とする請求項２０に記載の温度計。
【請求項２３】
前記処理部（３３）は入力信号として室温シグナル（Ｂ）と、赤外線と比例する体温シグナル（Ａ）を受信し、室温シグナル（Ｂ）は処理部（３３）で正または負の修正パラメータの決定を可能にし、前記検出部（７）で検知された前記体温シグナル（Ａ）を是正して患者の真の体温を決定することを特徴とする請求項２０に記載の温度計。
【請求項２４】
前記処理部（３３）と機能的に関連し、さらに検温部からの距離「Ｄ」に対する検出部（７）の正しい位置状況を決定するように設計されている制御部（３４）をさらに有することを特徴とする請求項２０に記載の温度計。
【請求項２５】
周囲の環境の温度を検知するために備えられた第二センサー（４０）をさらに有し、前記第二センサー（４０）は好ましくは、前記第一センサー（３９）とは独立して室温（Ｂ）を検知することができ、前記室温（Ｂ）は、前記第一もしくは第二センサー（３９，４０）の温度数値をとるか、または二計測の差が所定閾値以下、例えば０．２°以下である場合は、二つの前記センサー（３９，４０）の間の数値をとることで確立する第二センサー（４０）を特徴とする請求項２０に記載の温度計。
【請求項２６】
温度計測用非挿入型温度計であって、前記温度計は、体温を計測する被験者から離れた検出部に赤外線を運ぶように設計されており、前記被験者は特に患者で、請求項１に記載の方法で実行する前記温度計は、
使用者用に少なくとも一つの掌握部（３）を形作るように設計された本体部（２）と、
温度を計測する身体から放射された赤外線を検知する検知手段（６）であって、前記検知手段は、本体部（２）と機能的に関連し、赤外線強度用の検出部（７）を少なくとも一つ有する温度計であって、
前記本体（２）と分離していて、さらにリモートセンサー（３１）を持つ補助体（３０）と、前記リモート温度センサー（３１）で検知した温度を前記赤外線体温計（１）に転送する伝達手段（３２）をさらに有することを特徴とする温度計測用非挿入型温度計。
【請求項２７】
前記リモート温度センサー（３１）はサーミスターであって、室温を検知するよう設計されていることを特徴とする請求項２６に記載の温度計。
【請求項２８】
前記伝達手段（３２）は、ワイヤレス遠隔交信手段で、例えば無線、赤外線、電磁誘導、もしくはトランスポンダーのようなものであることを特徴とする請求項２６に記載の温度計。
【請求項２９】
前記補助体（３０）は環境内もしくは室内に静的に置かれ、前記リモートセンサー（３１）はバッテリーまたはコンセントで電力が供給されうることを特徴とする請求項２６に記載の温度計。
【請求項３０】
前記検出部（７）と機能的に関連する前記処理部（３３）は、前記センサー自体で感知された赤外線強度に比例する患者からくる体温シグナル（Ａ）を受信することができることを特徴とする請求項２６に記載の温度計。
【請求項３１】
前記処理部（３３）が、前記リモートセンサー（３１）から送られた室温シグナル（Ｂ）を受信できることを特徴とする請求項２６に記載の温度計。
【請求項３２】
前記処理部（３３）は、前記室温シグナル（Ｂ）と赤外線に比例する前記体温シグナル（Ａ）を入力信号として受信し、前記室温シグナル（Ｂ）は、前記検出部（７）で検知された前記体温（Ａ）を是正するための正または負のパラメータを処理部（３３）で決定し、さらに患者の真の体温を決定できるようにすることを特徴とする請求項２６に記載の温度計。
【請求項３３】
温度計測用非挿入型体温計であって、前記温度計は、体温を計測する被験者から離れた検出部に赤外線を運ぶように設計されている温度計であって、前記被験者は特に患者で、請求項１に記載の方法で実行する前記温度計は、
使用者用に少なくとも一つ掌握部（３）を形作るように設計された本体部（２）と、
温度を計測する身体から放出された赤外線を検知する手段（６）で本体部（２）と機能的に関連し、さらに、赤外線強度用の検出部（７）を少なくとも一つ有し、
周囲の環境の温度を検知する第一室温センサー（３９）と、
前記検出部（７）と第一室温部（３９）と機能的に関連し、前記検出部自体から受信した赤外線に対応する体温シグナル（Ａ）と室温シグナル（Ｂ）をそれぞれ受信することが可能な処理部（３３）と、を有する温度計であって、
前記処理部（３３）が室温シグナル（Ｂ）の時間経過を保存し、前記処理部（３３）は所定時間間隔において実質的に一定であった最後の温度を室温の基準として保有し、
前記本体部（２）とは離れた室温における基準素子（３６）をさらに有し、
前記基準素子（３６）の前記室温シグナル（Ｂ）を検知するための手段（３７）をさら有し、前記室温シグナルを赤外線体温計（１）のための室温として設定することを特徴とする温度計測用非挿入型温度計。
【請求項３４】
前記赤外線体温計（１）は、前記検出部（７）と機能的に関連する処理部（３３）を有し、患者から発せられて、前記検出部自体で感知された赤外線と比例する体温シグナル（Ａ）を受信できることを特徴とする請求項３３に記載の温度計。
【請求項３５】
前記赤外線体温計（１）は、一以上の室温（Ｂ）を保存することが出来るメモリー（３８）を有し、前記基準素子（３６）の温度を検知する前記手段（３７）は、前記メモリー（３８）中の前記室温（Ｂ）を前記基準素子（３６）で検知された前記室温に選択的に置き換えることを特徴とする請求項３３に記載の温度計。
【請求項３６】
前記処理部（３３）は、室温シグナル（Ｂ）を入力信号として受信することができ、前記室温シグナル（Ｂ）は前記メモリー（３８）からくるもので、前記基準素子（３６）の前記温度に相当することを特徴とする請求項３３に記載の温度計。
【請求項３７】
前記処理部（３３）は、入力信号として前記室温シグナル（Ｂ）と前記赤外線に比例する前記体温シグナル（Ａ）を受信することができ、前記室温シグナル（Ｂ）は検出部（７）で検知された前記体温（Ａ）を是正する正または負の修正パラメータを前記処理部（３３）で決定できるようにすることを特徴とする請求項３３に記載の温度計。
【請求項３８】
前記基準素子（３６）は、好ましくはプラスチックのプレートを有し、暖房もしくは冷房装置から遠い位置または壁に置かれていることを特徴とする請求項３３に記載の温度計。
【請求項３９】
少なくとも一つの第一および第二室温センサー（３９，４０）は、前記本体部（２）内に取り付けられ、それぞれ独立して室温（Ｂ）を検知できることを特徴とする請求項３３に記載の温度計。  
【請求項４０】
前記第一および第二室温センサー（３９，４０）は本体部（２）の相互に反対側に配置されていることを特徴とする請求項３９に記載の温度計。
【請求項４１】
前記赤外線体温計（１）は、前記検出部（７）と機能的に関連する処理部（３３）を有し、前記検出部自体で感知された赤外線と比例する体温シグナル（Ａ）を受信できることを特徴とする請求項３９に記載の温度計。
【請求項４２】
前記処理部（３３）は、前記室温センサー（３９，４０）からの前記温度シグナルを入力信号として受信し、これら二つの前記センサー動作に応じて室温を予測することを特徴とする請求項４１に記載の温度計。
【請求項４３】
前記室温は、二つもしくはそれ以上の前記室温センサー（３９,  ４０）で検知された低い方の前記室温数値を得ることで確立されることを特徴とする請求項３９に記載の温度計。
【手続補正２】
【補正対象書類名】明細書
【補正対象項目名】０００３
【補正方法】変更
【補正の内容】
【０００３】
特に、赤外線体温計は、赤外線センサーが稼働している読み取り部分を有し、温度検知が必要な患者の体の一部から放出される赤外線を前記センサーに運ぶ。
例えば、米国公開特許２００２１８１５３９において医療用温度計として使われている耳式体温計で、室温を計るセンサーを二つ有しているものが知られている。このような耳式体温計は室温を予測してから、患者で計測された体温を修正要因を使って修正する。
米国特許６３８６７５７において、体温計本体と体温計本体に内蔵されたプローブを含む耳式体温計で耳に挿入するものが知られている。該プローブは、プローブカバーが付けてあり、さらにプローブカバーをプローブに固定するためのスクリュー部が付けられている。
日本国公開特許０１０９５２４５では、空調システムにおいてワイヤレスセンサーが室温を探知し、室温に相当する探知されたシグナルをＣＰＵに転送することでワイヤレスセンサーで探知された室温を望む温度にして、空調装置が制御されることを示している。    
米国特許５０１７０１８には、医療用体温計の三つの実施形態が示されており、これらは耳もしくは口と接触して使用され、腔壁から伝わる熱で体温計が暖められるの避けるために先端に三つの異なる機械的機器が提供されている。
米国特許６１７９７８５において、外気を感知する外気感知サブシステムを含む
中耳用体温計を補正するための室温補正サブシステムが知られている。このようなサブシステムは、複数の室温を読み取って体温計が感知している現在の室温が安定か判断し、中耳の温度が安定と判断されると、コンピューターが室温感知システムの正確な室温計測を行っているか判断する。尚、このサブシステムは中耳用体温計の通常の使用時には稼働されておらず、実際には体温計が患者に使用されていない時使われている。
さらに、米国公開特許２００２／０１２３６９０において、赤外線耳式体温計で、その赤外線感知部分と被験者の体温の安定状態を予測できるものが知られている。このような体温計は被験者の体温を予測することはできるが、室温の安定性を探知することは出来ない。